(57)【要約】【課題】  ユーザー情報の保護を図り、適切なサービスを行うことが可能な通信端末装置を提供する。【解決手段】  少なくともファクシミリ機能を有し、公衆回線を利用する遠隔診断システムに対応した通信制御手段７、８を備えた通信端末装置において、セキュリティ強化モードが選択されたとき、公衆回線に接続された遠隔診断システムからの診断要求に対し、通信を切断する制御を行う切断制御手段１を備えた。【選択図】  図１
2005073084.tif 000002
【特許請求の範囲】
【請求項１】
少なくともファクシミリ機能を有し、公衆回線を利用する遠隔診断システムに対応した通信制御手段を備えた通信端末装置において、セキュリティ強化モードが選択されたとき、公衆回線に接続された遠隔診断システムからの診断要求に対し、通信を切断する制御を行う切断制御手段を備えたことを特徴とする通信端末装置。
【請求項２】
少なくともファクシミリ機能を有し、公衆回線を利用する遠隔診断システムに対応した通信制御手段を備えた通信端末装置において、セキュリティ強化モードが選択されたとき、公衆回線に接続された遠隔診断システムからの診断要求に対し、通信を切断するか否か選択する操作手段を備えたことを特徴とする通信端末装置。
【請求項３】
請求項２記載の通信端末装置において、機器の管理者パスワード入力により操作手段による選択が可能となることを特徴とする通信端末装置。
【発明の詳細な説明】
【技術分野】
【０００１】
本発明は、少なくともファクシミリ機能を有し、公衆回線を利用する遠隔診断システムに対応した通信制御手段を備えた通信端末装置（ファクシミリ装置、またはファクシミリ機能、コピー機能、プリンタ機能を併せ持つ複合機等）に関する。
【背景技術】
【０００２】
少なくともファクシミリ機能を有した通信端末装置において、公衆回線を利用する遠隔診断システムに対応した通信制御手段を備え、遠隔診断システムにより通信端末装置の遠隔診断を行う技術が、例えば、特許文献１に開示されている。
【特許文献１】特開平０９−１４９１８８号公報
【発明の開示】
【発明が解決しようとする課題】
【０００３】
上述したように、公衆回線に接続された単機能ファクシミリや、コピー＋ファクシミリ、プリンタ＋ファクシミリ等の複合機には、公衆回線を利用した遠隔診断システムが具備されているが、公衆回線からの遠隔診断要求に対して無条件に応答すると、ユーザー情報が取り出されてしまい、セキュリティ上好ましくない。一方、緊急のサービス等機器の情報を取りたい時に取れないのも不都合を招く。しかし全てのユーザーがセキュリティモードの切り替えを簡単にできてしまうと意味がない。
【０００４】
本発明は、このような背景に鑑みてなされたものであり、ユーザー情報の保護を図り、適切なサービスを行うことが可能な通信端末装置を提供することを目的とする。
【課題を解決するための手段】
【０００５】
上記目的を達成するために、請求項１記載の発明は、少なくともファクシミリ機能を有し、公衆回線を利用する遠隔診断システムに対応した通信制御手段を備えた通信端末装置において、セキュリティ強化モードが選択されたとき、公衆回線に接続された遠隔診断システムからの診断要求に対し、通信を切断する制御を行う切断制御手段を備えた通信端末装置を最も主要な特徴とする。
【０００６】
請求項２記載の発明は、少なくともファクシミリ機能を有し、公衆回線を利用する遠隔診断システムに対応した通信制御手段を備えた通信端末装置において、セキュリティ強化モードが選択されたとき、公衆回線に接続された遠隔診断システムからの診断要求に対し、通信を切断するか否か選択する操作手段を備えた通信端末装置を最も主要な特徴とする。
【０００７】
請求項３記載の発明は、請求項２記載の通信端末装置において、機器の管理者パスワード入力により操作手段による選択が可能となる通信端末装置を主要な特徴とする。
【発明の効果】
【０００８】
本発明によれば、ユーザー情報の保護を図り、適切なサービスを行うことが可能な通信端末装置を提供することができる。
【発明を実施するための最良の形態】
【０００９】
以下、本発明の実施の形態を図面に従って説明する。
図１は本発明の実施の形態に係る通信端末装置の機能ブロック図である。この通信端末装置は、ファクシミリ単機能機の構成例であるが、複合機であっても基本的には変わらない。
【００１０】
本通信端末装置は、ＣＰＵ（切断制御手段）１、ＲＯＭ２、ＲＡＭ３、符号化復号化部４、操作表示部（操作手段）５、外付けされる画像メモリ６、モデム（通信制御手段）７、ＮＣＵ（通信制御手段）８、スキャナ９、プロッタ１０、ＮＩＣ１１がＣＰＵバス１２に接続されることで構成されている。
【００１１】
本通信端末装置は、モデム７、ＮＣＵ８を通してＰＳＴＮ回線に接続されるＧ３ファクシミリ機能が装備されている。ファクシミリで使用するアドレス帳は、ＲＡＭ３の中でも電池バックアップ付きのＳＲＡＭ、あるいは、ＲＯＭ２の中でもフラッシュＲＯＭ等に記憶され、電源オフでもその内容は保持される。
【００１２】
また、追加可能な画像メモリ６は、例えばハードディスク、フラッシュカード、ＳＤ等でもよい。使用用途としては、コピー、ファクシミリの画像蓄積用である。遠隔診断に際しては、前述のアドレス帳の読み出し・書き換え、また種々の設定の読み出し・書き換えが行われる。
【００１３】
実際の動作を、図２以降のフローチャートで説明する。以下の制御はＣＰＵ１により行われる。
【００１４】
図２は受信開始時のフローチャートである。着呼を検出すると、ＤＩＳ／ＮＳＦを送出し（Ｓ１）、ＤＣＳ／ＮＳＳを受信する（Ｓ２）。ＮＳＳの内容が遠隔診断要求でなければ（Ｓ３でＮ）通常受信フローに進む。遠隔診断要求であれば（Ｓ３でＹ）セキュリティ強化モードの設定を確認し（Ｓ４）、セキュリティ強化モードであれば切断し、そうでなければ遠隔診断を続行する。
【００１５】
図３はセキュリティ強化モードの設定フローチャートである。機器の状態を設定する初期設定メニューに入ると管理者モードがある。セキュリティ強化モードの設定画面はその中に配置されている。すなわち、管理者設定メニューに入り決められたパスワードを入力すると管理者モードに入ることができる。その中でセキュリティ強化モードオン／オフ設定画面があり、そこでセキュリティモードの設定を行う（以上Ｓ１〜Ｓ５）。
【００１６】
本実施形態では、機器に設定されたセキュリティモードに対応して公衆回線からの遠隔診断要求に対して応答するので、ユーザー情報が取り出されてしまい、セキュリティ上好ましくないといった状況を防ぐことができる。また緊急のサービス等機器の情報を取りたい時にも対応可能となる。さらにユーザー情報の保護と、サービス目的の利用の切り換えを管理者によって行うことが可能となる。
【図面の簡単な説明】
【００１７】
【図１】本発明の実施の形態に係る通信端末装置の機能ブロック図である。
【図２】受信開始時のフローチャートである。
【図３】セキュリティ強化モードの設定フローチャートである。
【符号の説明】
【００１８】
１    ＣＰＵ（切断制御手段）
５    操作表示部（操作手段）
７    モデム（通信制御手段）
８    ＮＣＵ（通信制御手段）
【図１】
2005073084.tif 000003
【図２】
2005073084.tif 000004
【図３】
2005073084.tif 000005